(57)【要約】【課題】荒茶を詰めた袋を確実に上昇させて、移送することができ、出荷作業の負荷を軽減できる吸着パッドを提供する。【解決手段】袋Ｗ１を吸着して上昇させ、所定の場所へ移動した後、下降させて吸着を開放する袋物移送装置の吸着パッド１において、吊下支持されて吸込管２４が連結されるパッド本体２と、これに内部を連通させて取り付けられる短筒状スポンジ製の弾性吸着体３とを備え、弾性吸着体３は、パッド本体２の保持部６に嵌められる基部材１３と、袋Ｗ１の表面に押し付けられる先部材１４とを積層して一体化したものとし、先部材１４には、基部材１３よりも柔らかいスポンジを使用する。柔軟な先部材１４が弾性的に圧縮されて袋Ｗ１の表面に密着すると共に、先部材１４の過度の変形が基部材１３で抑制され、弾性吸着体３と袋Ｗ１の表面との間に、外部から空気が侵入する隙間が生じにくくなる。【選択図】図４
2015042435.tif 000002
【特許請求の範囲】
【請求項１】
袋物を吸着して上昇させ、所定の場所へ移動した後、下降させて吸着を開放する袋物移送装置の吸着パッド(1)において、吊下支持されて吸込管が連結されるパッド本体(2)と、これに内部を連通させて取り付けられる短筒状スポンジ製の弾性吸着体(3)とを備え、前記弾性吸着体(3)は、パッド本体(2)の保持部(6)に嵌められる基部材(13)と、袋物の表面に押し付けられる先部材(14)とを積層して一体化したものとし、先部材(14)には、基部材(13)よりも柔らかいスポンジを使用したことを特徴とする袋物移送装置の吸着パッド。
【請求項２】
袋物を吸着して上昇させ、所定の場所へ移動した後、下降させて吸着を開放する袋物移送装置の吸着パッド(1)において、吊下支持されて吸込管が連結されるパッド本体(2)と、一対の短筒状スポンジ製の弾性吸着体(3)とを備え、前記一対の弾性吸着体(3)は、パッド本体(2)に接離方向に揺動可能に支持された一対の保持体(15)にそれぞれ嵌められるものとし、パッド本体(2)と保持体(15)の間に、保持体(15)を基準位置に復元する方向へ付勢する弾性接続体(16)を介在させ、パッド本体(2)と弾性吸着体(3)の内部を弾性接続体(16)及び保持体(15)を介して連通させたことを特徴とする袋物移送装置の吸着パッド。
【請求項３】
前記パッド本体(2)には、内圧を検出する圧力計(7)を備えたことを特徴とする請求項１又は２に記載の袋物移送装置の吸着パッド。
【請求項４】
前記パッド本体(2)には、弾性吸着体(3)を袋物に押し付けるためのハンドル(9)を備えると共に、昇降操作を行う昇降レバー(10)と、袋物の吸着を解除する開放レバー(11)とを備えたことを特徴とする請求項１乃至３のいずれかに記載の袋物移送装置の吸着パッド。
【請求項５】
前記昇降レバー(10)の操作指示を、無線で行うための送信機(12)を備えたことを特徴とする請求項４に記載の袋物移送装置の吸着パッド。
【発明の詳細な説明】
【技術分野】
【０００１】
この発明は、荒茶を詰めた袋の出荷等に使用される袋物移送装置の吸着パッドに関するものである。
【背景技術】
【０００２】
摘んだ生茶葉は、茶工場で蒸して揉み乾かした荒茶とされ、大海と呼ばれる紙袋に詰められて茶市場へ出荷される。この茶工場における出荷作業に際し、荒茶を詰めた袋は、通常、人力で運ばれてパレットに積み上げられるが、袋には一般に３０ｋｇの荒茶が詰められるため、袋のパレットへの積込作業は、大変な重労働となる。
【０００３】
その対策として、袋詰めした米の出荷作業等に使用されている吸着式の袋物移送装置を転用することが考えられる。このような袋物移送装置として、従来、下記特許文献１に記載されたようなものが知られている。
【０００４】
図１２に示すように、この袋物移送装置に装備されている吸着パッド５１は、吸着面が凹面状に形成された伏鉢体５２の上部に、小径の筒状体５３とその外周側に空間をあけて配置された大径の筒状体５４とを取り付け、筒状体５３，５４の上端に亘って上面板５５を被せ、伏鉢体５２には、中央上部に吸込管６０が連結された筒状体５３の内部空間に連通する主開口部５６を形成すると共に、その周囲に筒状体５３，５４の間の吸込管６１が連結された空間に連通する副開口部５７を形成したものとされている。
【０００５】
上記吸着パッド５１では、袋Ｗ２を移送する際、伏鉢体５２の下端周縁部を袋Ｗ２の表面に押し付け、吸込管６０に接続されたポンプを作動させると、袋Ｗ２は、伏鉢体５２に入り込むように吸着されるので、吸着パッド５１を昇降機構により上昇させた状態で、レール等に沿ってパレットやコンベア等の所定の場所へ移動させることができる。
【先行技術文献】
【特許文献】
【０００６】
【特許文献１】特開平７−２８５６７３号公報
【発明の概要】
【発明が解決しようとする課題】
【０００７】
しかしながら、荒茶を詰めた袋は、米等の穀類を詰めた袋に比較して、同一重量であっても嵩が大きく、また、内容物は柔らかく、袋の材料として使用される紙が薄いため、袋物移送装置の開口部周縁が硬い従来の吸着パッドを押し付けると、皺が寄りやすい。
【０００８】
このため、吸着パッドと袋の表面との間に隙間ができ、吸着パッドの内部が十分に真空状態とならないことがあり、袋が落下しやすいという問題がある。
【０００９】
そこで、この発明は、荒茶を詰めた袋を確実に上昇させて、移送することができ、出荷作業の負荷を軽減できる吸着パッドを提供することを課題とする。
【課題を解決するための手段】
【００１０】
上記のような課題を解決するため、この発明は、袋物を吸着して上昇させ、所定の場所へ移動した後、下降させて吸着を開放する袋物移送装置の吸着パッドにおいて、吊下支持されて吸込管が連結されるパッド本体と、これに内部を連通させて取り付けられる短筒状スポンジ製の弾性吸着体とを備え、前記弾性吸着体は、パッド本体の保持部に嵌められる基部材と、袋物の表面に押し付けられる先部材とを積層して一体化したものとし、先部材には、基部材よりも柔らかいスポンジを使用したのである。
【００１１】
また、これに代えて、吊下支持されて吸込管が連結されるパッド本体と、一対の短筒状スポンジ製の弾性吸着体とを備え、前記一対の弾性吸着体は、パッド本体に接離方向に揺動可能に支持された一対の保持体にそれぞれ嵌められるものとし、パッド本体と保持体の間に、保持体を基準位置に復元する方向へ付勢する弾性接続体を介在させ、パッド本体と弾性吸着体の内部を弾性接続体及び保持体を介して連通させたのである。
【００１２】
また、前記パッド本体には、内圧を検出する圧力計を備えたほか、弾性吸着体を袋物に押し付けるためのハンドルを備えると共に、昇降操作を行う昇降レバーと、袋物の吸着を解除する開放レバーとを備え、さらに、前記昇降レバーの操作指示を、無線で行うための送信機を備えたのである。
【発明の効果】
【００１３】
この発明に係る袋物移送装置の吸着パッドのうち、弾性吸着体を柔軟性の異なる部材の積層構造としたものでは、袋物の移送に際し、弾性吸着体を袋物の表面に押し付けると、柔軟な先部材が弾性的に圧縮されて袋物の表面に密着すると共に、先部材の過度な変形が基部材で抑制され、弾性吸着体と袋物の表面との間に、外部から空気が侵入する隙間が生じにくく、吸着パッドの内部が十分に真空状態となり、袋物を落下させることなく上昇させて、所定の場所へ移送することができ、農家の作業負荷を軽減することができる。
【００１４】
また、弾性吸着体が揺動する一対の保持体に嵌められたものでは、弾性吸着体を袋物の表面に押し付けて袋物を持ち上げようとすると、保持体の揺動に伴い弾性吸着体が不規則な形状の袋物の表面に沿うので、弾性吸着体と袋物の表面との間に、外部から空気が侵入する隙間が生じにくく、上記のものと同様の効果が得られるほか、段ボール箱に詰められた茶等の移送に使用することもできる。
【００１５】
また、内圧を検出する圧力計を備えると、吸着パッドの内部が真空状態となっているか確認することができるので、安全性が向上する。
【００１６】
また、弾性吸着体を袋物に押し付けるためのハンドルを備えると共に、昇降操作を行う昇降レバーと、袋物の吸着を解除する開放レバーとを備えたので、弾性吸着体を袋物の表面により確実に密着させて、昇降及び移動操作を容易に行うことができ、袋物の移送後に吸着パッドを袋物から容易に分離することができる。
【００１７】
さらに、昇降レバーの操作指示を無線で行う送信機を備えたので、ケーブルを介して操作指示を行う場合のように、出荷作業を行う作業者にケーブルが絡まったり、パレット等にケーブルが引っ掛かったりする危険性がなくなる。
【図面の簡単な説明】
【００１８】
【図１】この発明の第１実施形態に係る吸着パッドを備えた袋物移送装置の概略図
【図２】同上の吸着パッドの斜視図
【図３】同上の吸着パッドの縦断正面図
【図４】同上の袋物への押付状態を示す一部切欠正面図
【図５】同上のパレットへの積込過程を示す概略図
【図６】この発明の第２実施形態に係る吸着パッドの縦断側面図
【図７】同上の吸着パッドの部分切欠正面図
【図８】同上の開放レバー機構の閉塞状態を示す拡大縦断正面図
【図９】同上の開放レバー機構の開放状態を示す拡大縦断正面図
【図１０】同上の吸着パッドによる袋物の持上状態を示す部分切欠側面図
【図１１】同上の吸着パッドによる段ボール箱の持上状態を示す部分切欠側面図
【図１２】従来の袋物移送装置の吸着パッドの縦断正面図
【発明を実施するための形態】
【００１９】
以下、この発明の実施形態を添付図面に基づいて説明する。
【００２０】
図１に示す袋物移送装置は、建屋内の天井付近に固定された固定レール２０ａと、固定レール２０ａに対し直交方向へ延設され、固定レール２０ａに沿って移動する移動レール２０ｂと、移動レール２０ｂに沿って移動する昇降ユニット２１と、床上に設置された吸引ポンプ２２と、昇降ユニット２１からベルト２３を介して昇降自在に吊り下げられ、吸引ポンプ２２から延びるフレキシブルな吸込管２４が連結された吸着パッド１とを備え、３０ｋｇの荒茶が詰められた袋Ｗ１を移送するために使用される。
【００２１】
図１〜図５に示す第１実施形態に係る吸着パッド１は、図２及び図３に示すようなパッド本体２と弾性吸着体３とを備えている。
【００２２】
パッド本体２は、直方体状で下部周囲にフランジが張り出した金属製の剛体であり、内部がチャンバー４とされ、下部にチャンバー４を外部と連通させる４個の円形の開口部５が形成されている。また、下部外面には、開口部５を２個ずつ囲むように、角部が丸い四角環状の保持部６がパッド本体２長手方向に間隔をおいて２個設けられている。
【００２３】
パッド本体２の上部には、ベルト２３が取り付けられると共に、吸込管２４がチャンバー４と連通するように接続され、また、チャンバー４の内圧を検出する圧力計７が取り付けられている。
【００２４】
パッド本体２の両側には、支持枠８から突出するハンドル９が設けられると共に、一側の支持枠８には、吸着パッド１の昇降操作を行うスイッチの昇降レバー１０が突設され、他側の支持枠８には、吸着パッド１の内圧の開放操作を行うスイッチの開放レバー１１が突設されている。
【００２５】
昇降レバー１０及び開放レバー１１の操作指示は、パッド本体２の上部に設けられた送信機１２へ送られ、送信機１２から昇降ユニット２１及び吸引ポンプ２２へ無線で送信される。そして、昇降レバー１０の操作に伴い、昇降ユニット２１のモーターが制御され、開放レバー１１の操作に伴い、吸引ポンプ２２の圧力開放用電磁弁が開閉される。
【００２６】
弾性吸着体３は、短筒状のスポンジ製であり、パッド本体２の保持部６に嵌められる基部材１３と、袋Ｗ１の表面に押し付けられる先部材１４とを積層して一体化したものとされている。基部材１３のスポンジには、比較的硬質のものが使用され、先部材１４のスポンジには、非常に柔らかいものが使用されている。
【００２７】
弾性吸着体３の基部材１３をパッド本体２の保持部６に嵌めた状態で、弾性吸着体３の内部は、開口部５を介してチャンバー４と連通し、吸着パッド１の内部空間を形成する。
【００２８】
基部材１３は、パッド本体２の保持部６の外周面に接着されることなく摩擦をもって当接しており、吸着パッド１の内部が負圧になると、保持部６に密着するので、弾性吸着体３がパッド本体２から脱落することはない。このように弾性吸着体３をパッド本体２に着脱自在としておくと、損耗しやすい弾性吸着体３を容易に交換することができる。
【００２９】
上記のような吸着パッド１を備えた袋物移送装置を使用して、荒茶の袋詰め作業場所に置かれた袋Ｗ１を出荷用のパレットへ移送する際には、図１に示す吸引ポンプ２２を作動させ、図４に示すように、ハンドル９を握って吸着パッド１の弾性吸着体３の先部材１４を袋Ｗ１の表面に押し付ける。
【００３０】
このとき、柔軟な先部材１４が弾性的に圧縮されて袋Ｗ１の表面に密着すると共に、先部材１４の過度の変形が基部材１３で抑制されるので、弾性吸着体３と袋Ｗ１の表面との間に、外部から空気が侵入する隙間が生じにくく、吸着パッド１の内部が十分に真空状態となって、吸着パッド１が袋Ｗ１に吸い付けられる。
【００３１】
次に、昇降レバー１０を上昇方向へ操作して袋Ｗ１を上昇させると、吸引ポンプ２２のモーターの出力が小さくても、袋Ｗ１は、落下することなく確実に持ち上げられるので、消費電力を抑制することができる。
【００３２】
例えば、先部材１４のない弾性吸着体３を使用した場合、吸引ポンプ２２のモーターに２ｋＷ以上の出力を要したところ、先部材１４を有するものを使用すると、４００Ｗの出力でも袋Ｗ１を確実に上昇させることができる。
【００３３】
なお、圧力計７により、吸着パッド１の内部が十分に真空状態となっているか確認することができるので、真空度が不十分な場合、袋Ｗ１への吸着パッド１の押し付けをやり直すことにより、安全性が向上する。
【００３４】
そして、袋Ｗ１を図１に示すレール２０に沿って昇降ユニット２１と共に移動させ、図５に示すように、袋Ｗ１がパレットＰの上方に達したとき、昇降レバー１０を下降方向へ操作して、袋Ｗ１をパレットＰの上面に降ろす。
【００３５】
その後、開放レバー１１を操作して、吸着パッド１の内圧を開放すると、袋Ｗ１の吸着が解除されるので、吸着パッド１を袋Ｗ１から分離して、荒茶の袋詰め作業場所へ戻すことができる。
【００３６】
上記のように、この吸着パッド１は、弾性吸着体３を袋Ｗ１に押し付けるためのハンドル９を備えると共に、昇降操作を行う昇降レバー１０と、袋Ｗ１の吸着を解除する開放レバー１１とを備えているので、弾性吸着体３の先部材１４を袋Ｗ１の表面により確実に密着させて、昇降及び移動操作を容易に行うことができ、また、袋Ｗ１の移送後に、吸着パッド１を袋Ｗ１から容易に分離することができる。
【００３７】
さらに、昇降レバー１０及び開放レバー１１の操作指示を無線で行うための送信機１２を備えているので、ケーブルを介して操作指示を行う場合のように、出荷作業を行う作業者にケーブルが絡まったり、パレット等にケーブルが引っ掛かったりする危険性がなく、安全に効率よく出荷作業を行うことができる。
【００３８】
次に、図６〜図１１に示す第２実施形態に係る吸着パッド１は、上記第１実施形態の吸着パッド１に代えて袋物移送装置に備えられるものである。ここでは、上記第１実施形態の各部に対応する部分に同一の符号を付して、その説明を省略する。
【００３９】
図６及び図７に示すように、この吸着パッド１では、吊下支持されて吸込管２４が連結されるパッド本体２に、一対の保持体１５がアーム１５ａにより接離方向に揺動可能に支持され、これらの保持体１５にそれぞれ短筒状スポンジ製の弾性吸着体３が取り付けられている。パッド本体２と保持体１５の間には、保持体１５を基準位置に復元する方向へ付勢する短筒状スポンジ製の弾性接続体１６が介在している。パッド本体２と弾性吸着体３の内部とは、弾性接続体１６及び保持体１５を介して連通している。
【００４０】
弾性吸着体３及び弾性接続体１６のスポンジには、上記第１実施形態における弾性吸着体３の基部材１３と同様、比較的硬質のものが使用されている。弾性吸着体３は、弾性部材３ａが二層に積層されて固着された構造とされ、吸着側となる下方の弾性部材３ａが損耗しても、上下反転して再使用できる。
【００４１】
吸着パッド１の内圧の開放操作を行うスイッチの開放レバー１１は、図８及び図９に示すように、その弁座部１１ａによりパッド本体２に穿設された抜穴２ａを開閉するものとされ、支持枠８との間に掛け渡されたばね１１ｂにより、弁座部１１ａが抜穴２ａを閉じる方向へ付勢されている。
【００４２】
これにより、開放レバー１１を引き上げて抜穴２ａを開く操作をすると、チャンバー４が開放され、吸着パッド１の内圧が迅速に開放される。また、開放レバー１１を離すと、抜穴２ａが閉じられて、吸着パッド１の内圧を真空化できる状態となる。
【００４３】
上記のような吸着パッド１では、図１０に示すように、弾性吸着体３を袋Ｗ１の表面に押し付けて袋Ｗ１を持ち上げようとすると、保持体１５の揺動に伴い弾性吸着体３が不規則な形状の袋Ｗ１の表面に沿うので、弾性吸着体３と袋Ｗ１の表面との間に、外部から空気が侵入する隙間が生じにくく、上記第１実施形態に係るものと同様の効果が得られる。
【００４４】
また、図１１に示すように、保持体１５が基準位置にあるとき、段ボール箱Ｂのように天面が平坦で剛性のある容器にも強力に吸着するので、段ボール箱に詰められた茶等の移送に使用することもできる。
【符号の説明】
【００４５】
１  吸着パッド
２  パッド本体
２ａ  抜穴
３  弾性吸着体
３ａ  弾性部材
４  チャンバー
５  開口部
６  保持部
７  圧力計
８  支持枠
９  ハンドル
１０  昇降レバー
１１  開放レバー
１１ａ  弁座部
１１ｂ  ばね
１２  送信機
１３  基部材
１４  先部材
１５  保持体
１５ａ  アーム
１６  弾性接続体
２０ａ  固定レール
２０ｂ  移動レール
２１  昇降ユニット
２２  吸引ポンプ
２３  ベルト
２４  吸込管
Ｐ  パレット
Ｗ１  袋
Ｂ  段ボール箱
【図１】
2015042435.tif 000003
【図２】
2015042435.tif 000004
【図３】
2015042435.tif 000005
【図４】
2015042435.tif 000006
【図５】
2015042435.tif 000007
【図６】
2015042435.tif 000008
【図７】
2015042435.tif 000009
【図８】
2015042435.tif 000010
【図９】
2015042435.tif 000011
【図１０】
2015042435.tif 000012
【図１１】
2015042435.tif 000013
【図１２】
2015042435.tif 000014